(57)【要約】【課題】本発明は各ＤＮＡに認識符号を付帯することにより、分析効率の向上、視認性および正確性、安全性を効率よく図ることができ、少量の実験レベルから大量分析まで効率よく使用することができるバイオチップの識別方法を得るにある。【解決手段】ＤＮＡやタンパク質分子等が基板上に配置され、固定化されるバイオチップ製作方法において、前記基板の識別部位に、ＤＮＡ位置や種類等を特定するための認識符号を付帯する付帯工程を含むバイオチップの識別方法を構成している。【選択図】　図１
2004028734.tif 000002
【特許請求の範囲】
【請求項１】
ＤＮＡやタンパク質分子等が基板上に配置され、固定化されるバイオチップ製作方法において、前記基板の識別部位に、ＤＮＡ位置や種類等を特定するための認識符号を付帯する付帯工程を含むことを特徴とするバイオチップ製作方法。
【請求項２】
前記付帯工程は、前記識別符号を前記基板に印字することを特徴とする特許請求の範囲第１項に記載のバイオチップ製作方法。
【請求項３】
前記付帯工程は、前記識別符号を前記基板に刻印することを特徴とする特許請求の範囲第１項に記載のバイオチップ製作方法。
【請求項４】
前記付帯工程は、前記識別符号を基板に設けた凹凸に付帯させることを特徴とする特許請求の範囲第１項に記載のバイオチップ製作方法。
【請求項５】
前記付帯工程は、前記識別符号をチップの内部に埋め込むことを特徴とする特許請求の範囲第１項に記載のバイオチップ製作方法。
【請求項６】
ＤＮＡやタンパク質分子等が基板上に配置され、固定化されるバイオチップにおいて、前記基板の識別部位に、ＤＮＡ位置や種類等を特定するために付帯された認識符号を有することを特徴とするバイオチップ。
【請求項７】
前記識別符号は、位置等を特定する一点又は複数の基準点あるいは線であることを特徴とする特許請求の範囲第６項に記載のバイオチップ。
【請求項８】
前記識別符号は、所定のコードであることを特徴とする特許請求の範囲第６項に記載のバイオチップ。
【請求項９】
前記識別符号は、色により特定することを特徴とする特許請求の範囲第６項に記載のバイオチップ。
【請求項１０】
前記識別符号は、特定の波長の光にのみ反応するものであることを特徴とする特許請求の範囲第６項に記載のバイオチップ。
【発明の詳細な説明】
【０００１】
【発明の属する技術分野】
本発明は、バイオチップやプロテインチップ等のバイオチップの識別方法に関する。
【０００２】
【従来の技術】
従来、バイオチップを解析する際、各ＤＮＡに識別符号を付帯することなく、分析していた。最近ではバイオチップ上に数万という異なる種類のＤＮＡがあるため、位置認識および正確なデータ採集が非常に重要且つ複雑になってきている。これまでは分析の数量に限りがあり、位置認識の重要性が認識されていなかったが、最近では正確且つ安全な大量分析を小さいスペースにて行うことが課題とされている。
【０００３】
【発明が解決しようとする課題】
従来のＤＮＡ解析では、１つのバイオチップ上におよそ数万個のＤＮＡが塗布されており、識別符号なしで解析することは非効率的であるという欠点があったとともに、記録装置により認識する場合もあるが、顕微鏡確認時の視認性の無さやデータの信頼性および安全性の面で課題があった。
【０００４】
本発明は以上のような従来の欠点に鑑み、各ＤＮＡに認識符号を付帯することにより、分析効率の向上、視認性および正確性、安全性を効率よく図ることができ、少量の実験レベルから大量分析まで効率よく使用することができるバイオチップの識別方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はＤＮＡやタンパク質分子等が基板上に配置され、固定化されるバイオチップ製作方法において、前記基板の識別部位に、ＤＮＡ位置や種類等を特定するための認識符号を付帯する付帯工程とでバイオチップ製作方法を構成している。
【０００７】
また、本発明はＤＮＡやタンパク質分子等が基板上に配置され、固定化されるバイオチップにおいて、前記基板の識別部位に、ＤＮＡ位置や種類等を特定するために付帯された認識符号とでバイオチップを構成している。
【０００８】
【発明の実施の形態】
以下、図面に示す実施の形態により、本発明を詳細に説明する。
【０００９】
図１ないし図３に示す本発明の第１の実施の形態において、ＤＮＡ、ｍＲＮＡ、タンパク質分子、抗原抗体等、本実施の形態ではＤＮＡがガラス基板２上に従来と同様に配置され、従来と同様のスポッター装置を使用してのスポッティング法、キャピラー部材を使用する方法等を用いて配置されたＤＮＡ配列を固定化する、ＤＮＡチップやプロテインチップ等のバイオチップ製作方法において、１は、図２に示すように、ＤＮＡのスポッティング前に、前記ガラス基板２のＤＮＡ配列の配置面３にＤＮＡ４の位置や種類等を特定するための、識別力のある認識符号５を付帯する付帯工程で、この付帯工程１では該認識符号をインクジェットプリンター等の印字装置６を介して基板上に印字する。
【００１０】
前記認識符号５は、基板上に配置されるＤＮＡ４を個々に認識できる符号、例えば文字や数字、記号等の任意の組合せ、所定の記号等の、本実施の形態では文字記号である。
【００１１】
なお、前記基板は本実施の形態ではガラスのものを使用しているが、シリコン、プラスチック、セラミック、ナイロン膜、ポリマー膜、アモルファスカーボン等を使用してもよい。
【００１２】
上記のようなバイオチップ製作方法で製作されたバイオチップ７は、まず、例えば、本実施の形態では、２．５センチＸ７センチのバイオチップ７のガラス基板２の上に、２ｍｍ角のセル８を１単位として並べられている。
【００１３】
１つのセル８の中には５Ｘ５の２５個のＤＮＡ４が塗布されているので、基板上には４０８個のセル８が配列されているとすれば、基板上のＤＮＡ４の数は１０２００個となる。
したがって、２ｍｍ角のセル８を１つの単位として、前記付帯工程１を介し識別符号５をセルの固定化位置に付帯すれば、図２に示すように、反応したＤＮＡ４の場所からおおよそどのセル８に該当するかを判断でき、その後、５Ｘ５のマトリックス上の配置でどの位置にあたるかを画像処理等により詳細に解析し、図３の参考図のように位置を認識することができる。
なお、本実施の形態では、ＤＮＡのスポッティングの前に付与工程を行うことについて説明したが、これに限らず、図１に示すように、ＤＮＡのスポッティング後に付与工程を行ってもよい。
【００１４】
【発明の異なる実施の形態】
次に、図４ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図４に示す本発明の第２の実施の形態において、前記本発明の第１の実施の形態と主に異なる点は、セル８の中のＤＮＡ群に識別符号５を付与する付与工程１Ａを行う点で、このように構成したバイオチップ製作方法で製作されたバイオチップ７Ａにしても本発明の第１の実施の形態と同様の作用効果を得ることができる。
【００１６】
図５に示す本発明の第３の実施の形態において、前記本発明の第１の実施の形態と主に異なる点は、セル８の中のＤＮＡ４の単独の行のみのエリアあるいは単独の列のみのエリアに識別符号５を付与する付与工程１Ｂを行う点で、このように構成したバイオチップ製作方法で製作されたバイオチップ７Ｂにしても本発明の第１の実施の形態と同様の作用効果を得ることができる。
なお、これに限らず、複数行あるいは複数列のエリアに付与されてもよい。
【００１７】
図６に示す本発明の第４の実施の形態において、前記本発明の第１の実施の形態と主に異なる点は、点や線等の記号を用いた識別符号５Ａを使用する点で、このように構成されたバイオチップ７Ｃを製作するバイオチップ製作方法にしても本発明の第１の実施の形態と同様の作用効果を得ることができる。
なお、図７に示すような、ＤＮＡセルを特定できるように、基板上にマトリックス状の識別記号５Ａを付与してもよい。
【００１８】
図８に示す本発明の第５の実施の形態において、前記本発明の第１の実施の形態と主に異なる点は、会社や研究所内等で利用される文字列、数列、記号列あるいはそれらの組合せである所定のコードを用いた識別符号５Ｂを使用する点で、このように構成されたバイオチップ７Ｄを製作するバイオチップ製作方法にしても本発明の第１の実施の形態と同様の作用効果を得ることができる。
なお、識別符号５Ｂとしては、例えば、実験に使用する細胞名、あるいはその細胞名に対応する記号や符号等でもよい。
【００１９】
図９に示す本発明の第６の実施の形態において、前記本発明の第１の実施の形態と主に異なる点は、ＤＮＡ４の位置等の部位に特定の色を着色する識別符号５Ｃを用いた点で、このように構成したバイオチップ７Ｅを製作するバイオチップ製作方法にしても、本発明の第１の実施の形態と同様の作用効果を得ることができる。
【００２０】
図１０および図１１に示す本発明の第７の実施の形態において、前記本発明の第１の実施の形態と主に異なる点は、前記は、特定の波長の光にのみ反応する蛍光染料等のインクを用いた識別符号５Ｄを使用する点で、このように構成したバイオチップ７Ｆを製作するバイオチップ製作方法にしても、本発明の第１の実施の形態と同様の作用効果を得ることができる。
なお、図１１に示すように、ＤＮＡ個体を判断できるように識別符号を付与してもよい。
【００２１】
図１２に示す本発明の第８の実施の形態において、前記本発明の第１の実施の形態と主に異なる点は、識別符号５をロール、ナンバリング、ペン式等の刻印機１０を用いて機械的刻印する付帯工程１Ｃを行う点で、このように構成したバイオチップ製作方法で製作したバイオチップ７Ｇにしても、本発明の第１の実施の形態と同様の作用効果を得ることができる。
【００２２】
図１３に示す本発明の第９の実施の形態において、前記本発明の第１の実施の形態と主に異なる点は、識別符号５をレーザーマーキング等の刻印機１０Ａを用いて化学的刻印する付帯工程１Ｄを行う点で、このように構成したバイオチップ製作方法で製作したバイオチップ７Ｈにしても、本発明の第１の実施の形態と同様の作用効果を得ることができる。
【００２３】
図１４に示す本発明の第１０の実施の形態において、前記本発明の第１の実施の形態と主に異なる点は、識別符号５をガラス基板２に設けられた凹凸部９に付帯する付帯工程１Ｅを行う点で、このように構成したバイオチップ製作方法で製作したバイオチップ７Ｉにしても、本発明の第１の実施の形態と同様の作用効果を得ることができる。
【００２４】
図１５に示す本発明の第１１の実施の形態において、前記本発明の第１の実施の形態と主に異なる点は、識別符号５をガラス基板２の裏面から付帯する付帯工程１Ｆを行う点で、このように構成したバイオチップ製作方法で製作したバイオチップ７Ｊにしても、本発明の第１の実施の形態と同様の作用効果を得ることができる。
【００２５】
図１６および図１７に示す本発明の第１２の実施の形態において、前記本発明の第１の実施の形態と主に異なる点は、識別符号５をガラス基板２の内部に埋め込む付帯工程１Ｇを行う点で、このように構成したバイオチップ製作方法で製作したバイオチップ７Ｋにしても、本発明の第１の実施の形態と同様の作用効果を得ることができる。
【００２６】
図１８に示す本発明の第１３の実施の形態において、前記本発明の第１の実施の形態と主に異なる点は、ＤＮＡ４の位置や種類等のデータを有する、識別符号としての、評価、検査、解析等用の電子回路やＩＣチップ５Ｅをガラス基板２上に作成する付帯工程１Ｈを行う点で、このように構成したバイオチップ製作方法にしても、本発明の第１の実施の形態と同様の作用効果を得ることができる。
なお、積層状に形成されたガラス基板の層間に前記電子回路やＩＣチップ５Ｅを形成してもよい。
また、前記ＩＣチップ等のデータは、解析機や読出し機、専用コンピュータ等で読み出すことができ、読出しに関しては、有線や無線等の方式を問わない。
【００２７】
なお、各本実施の形態ではバイオチップについて説明したが、本発明はこれに限らず、テスト用バイオチップ、レプリカバイオチップ、遺伝子解析チップ（ラボ・オン・ア・チップ）、プロテインチップ、Ｐｅｐｔｉｄｅチップ等でもよい。
【００２８】
また、前記本発明の異なる実施の形態では主に第１の実施の形態を基にして説明したが、本発明はこれに限らず、各実施の形態に使用された構成を組み合わせて使用しても同様な作用効果が得られる。
【００２９】
【発明の効果】
以上の説明から明らかなように、本発明にあっては次に列挙する効果が得られる。
【００３０】
（１）ＤＮＡやタンパク質分子等が基板上に配置され、固定化されるバイオチップ製作方法において、前記基板の識別部位に、ＤＮＡ位置や種類等を特定するための認識符号を付帯する付帯工程とからなるので、ＤＮＡに認識符号を付帯することができる。
したがって、視認性および正確性を図ることができ、利用価値の高いバイオチップを提供することができる。
【００３１】
（２）前記（１）によって、ＤＮＡに認識符号を付帯することができるので、短時間に効率よく分析することができる。
したがって、分析効率の向上を確実に図ることができる。
【００３２】
（３）前記（１）によって、ＤＮＡに認識符号を付帯することができるので、安全性を効率よく図ることができるとともに、少量の実験レベルから大量分析まで効率よく使用することができる。
【００３３】
（４）請求項２〜１０も前記（１）〜（３）と同様な作用効果が得られる。
【図面の簡単な説明】
【図１】本発明の第１の実施の形態の工程図。
【図２】本発明の第１の実施の形態のバイオチップの製作方法の説明図。
【図３】本発明の第１の実施の形態のバイオチップの製作方法の参考図。
【図４】本発明の第２の実施の形態のバイオチップの製作方法の説明図。
【図５】本発明の第３の実施の形態のバイオチップの製作方法の説明図。
【図６】本発明の第４の実施の形態のバイオチップの製作方法の説明図。
【図７】本発明の第４の実施の形態のバイオチップの参考図。
【図８】本発明の第５の実施の形態のバイオチップの製作方法の説明図。
【図９】本発明の第６の実施の形態のバイオチップの製作方法の説明図。
【図１０】本発明の第７の実施の形態のバイオチップの製作方法の説明図。
【図１１】本発明の第７の実施の形態のバイオチップの製作方法の参考図。
【図１２】本発明の第８の実施の形態のバイオチップの製作方法の説明図。
【図１３】本発明の第９の実施の形態のバイオチップの製作方法の説明図。
【図１４】本発明の第１０の実施の形態のバイオチップの製作方法の説明図。
【図１５】本発明の第１１の実施の形態のバイオチップの製作方法の説明図。
【図１６】本発明の第１２の実施の形態の付与工程の説明図。
【図１７】本発明の第１２の実施の形態のバイオチップの製作説明図。
【図１８】本発明の第１３の実施の形態の付与工程の説明図。
【符号の説明】
１、１Ａ〜１Ｈ：付帯工程、　　　　２、２Ａ：ガラス基板、
３：配置面、　　　　　　　　　　　４：ＤＮＡ、
５、５Ａ〜５Ｅ：認識符号、　　　　６：印字装置、
７、７Ａ〜７Ｋ：バイオチップ、　　８：セル、
９：凹凸部、　　　　　　　　　　　１０、１０Ａ：刻印機。
【図１】
2004028734.tif 000003
【図２】
2004028734.tif 000004
【図３】
2004028734.tif 000005
【図４】
2004028734.tif 000006
【図５】
2004028734.tif 000007
【図６】
2004028734.tif 000008
【図７】
2004028734.tif 000009
【図８】
2004028734.tif 000010
【図９】
2004028734.tif 000011
【図１０】
2004028734.tif 000012
【図１１】
2004028734.tif 000013
【図１２】
2004028734.tif 000014
【図１３】
2004028734.tif 000015
【図１４】
2004028734.tif 000016
【図１５】
2004028734.tif 000017
【図１６】
2004028734.tif 000018
【図１７】
2004028734.tif 000019
【図１８】
2004028734.tif 000020